(57)【要約】【課題】ターボラグを解消し、エンジン始動時でも過給機能を遂行可能な内燃機関の過給装置を提供する。【解決手段】本発明による内燃機関の過給装置は、吸気通路１ａに接続した過給気通路３と、所定の圧力の過給気を貯蔵し、該過給気を過給気通路３へ送出する過給気タンク５と、過給気通路３に設けられ、機関運転状態に応じて開閉する過給弁４と、過給気通路３を接続した部位よりも上流の吸気通路１ａに設けられて吸気の逆流を防止する逆流防止弁１０と、を含んで構成されることを特徴とする。【選択図】図１
2011208644.tif 000002
【特許請求の範囲】
【請求項１】
吸気通路に接続した過給気通路と、
リザーバタンクから供給される高圧空気を過給気として貯蔵し、該過給気を前記過給気通路へ送出する過給気タンクと、
前記過給気通路に設けられ、機関運転状態に応じて開閉する過給弁と、
前記過給気通路を接続した部位よりも上流の前記吸気通路に設けられて吸気の逆流を防止する逆流防止弁と、
を含んで構成される内燃機関の過給装置。
【請求項２】
前記過給気タンクは、
前記リザーバタンクから供給される高圧空気を貯蔵する主タンクと、
該主タンク内から送り出された空気を過給圧へ減圧する調圧弁と、
該調圧弁を通して減圧した過給気を貯蔵し、該過給気を前記過給気通路へ送出する副タンクと、を含んで構成される、
請求項１記載の内燃機関の過給装置。
【請求項３】
吸気通路に接続した過給気通路と、
所定の圧力の過給気を貯蔵し、該過給気を前記過給気通路へ送出する過給気タンクと、
圧力センサにより計測される前記過給気タンク内の圧力に応じて駆動され、前記過給気タンクに圧縮空気を供給するエアコンプレッサと、
前記過給気通路に設けられ、機関運転状態に応じて開閉する過給弁と、
前記過給気通路を接続した部位よりも上流の前記吸気通路に設けられて吸気の逆流を防止する逆流防止弁と、
を含んで構成される内燃機関の過給装置。
【請求項４】
前記過給気タンクは、
前記エアコンプレッサによる圧縮空気を貯蔵する主タンクと、
該主タンク内から送り出された空気を過給圧へ減圧する調圧弁と、
該調圧弁を通して減圧した過給気を貯蔵し、該過給気を前記過給気通路へ送出する副タンクと、を含んで構成され、
前記圧力センサにより前記主タンク内の圧力が計測される、
請求項３記載の内燃機関の過給装置。
【請求項５】
前記主タンク内の圧力設定値が所定の幅をもって決められており、
前記エアコンプレッサは、前記計測される圧力が前記設定値の上限値以上になると停止し且つ前記設定値の下限値以下になると動作する、
請求項４記載の内燃機関の過給装置。
【請求項６】
吸気通路に接続した過給気通路と、
所定の圧力の過給気を貯蔵し、該過給気を前記過給気通路へ送出する過給気タンクと、
前記過給気通路に設けられた過給弁と、
前記過給気通路を接続した部位よりも上流の前記吸気通路に設けられて吸気の逆流を防止する逆流防止弁と、
前記逆流防止弁よりも上流の前記吸気通路に介装されたコンプレッサを有する過給器と、
前記過給器が十分な過給気をつくり出せる機関運転状態かどうかを判定し、不十分であれば前記過給気タンクの過給気を使用するように、前記過給弁及び前記逆流防止弁を制御するコントローラと、
を含んで構成される内燃機関の過給装置。
【請求項７】
前記コントローラは、
機関運転状態の回転速度及び燃料噴射量に基づいて運転状況マップから前記過給器の状態を求め、前記過給器が十分な過給を行えない領域にあるかどうか判定し、
前記領域になければ前記逆流防止弁を開とし、
前記領域にあれば、前記逆流防止弁を閉として、前記吸気通路に設けられた圧力センサにより計測される吸気圧を、機関運転状態の目標過給圧に制御幅を加算した制御目標上限値と比較し、
前記吸気圧が前記制御目標上限値以上であれば前記過給弁を閉とし、
前記吸気圧が前記制御目標上限値を下回っていれば、前記吸気圧を、前記目標過給圧から制御幅を減算した制御目標下限値と比較し、
前記吸気圧が前記制御目標値以下であれば、前記過給弁を開とする、
請求項６記載の内燃機関の過給装置。
【発明の詳細な説明】
【技術分野】
【０００１】
本発明は、内燃機関で使用される過給装置に関する。
【背景技術】
【０００２】
排気によりタービンを回転させて吸気側のコンプレッサを動作させる方式のターボ過給器では、低速回転時の過給圧不足や加速レスポンスの改善を図ることがいまや常識である。このような技術として今までに、ターボ過給器と並列にした小型のターボ過給器で補助する過給装置（特許文献１）、ターボ過給器と直列にした渦流過給器で補助する過給装置（特許文献２）、ターボ過給器と並列／直列にした機械式過給器（スーパーチャージャ）で補助する過給装置（特許文献３）、さらには、ターボ過給器と並列／直列にした電動過給器（電動コンプレッサ）で補助する過給装置（特許文献４，５）が知られている。
【先行技術文献】
【特許文献】
【０００３】
【特許文献１】特開平６−１４６９０８号公報
【特許文献２】特開２０００−５４８５０号公報
【特許文献３】特開平９−１９５７８１号公報
【特許文献４】実開平５−１９５２８号公報
【特許文献５】特開２００４−２７８４３０号公報
【発明の概要】
【発明が解決しようとする課題】
【０００４】
上記従来技術の補助過給器は、排気、クランク軸、あるいは電動機でコンプレッサを回して過給圧を生み出すものであるから、いずれも、コンプレッサのインペラが回り始めて過給圧を生み出せる回転に達するまでのタイムラグが存在する。したがって、急な加減速を繰り返す車両のエンジンにおいて十分な補助機能を得られるとは言い難い。
また、特許文献１〜３のように、小型ターボ過給器や機械式過給器を補助に使用する過給装置では、排気やクランク軸を駆動源としていることから、内燃機関の始動時に機能させることができない。このため、特にディーゼルエンジンの始動時に気筒の吸気充填効率を向上させてスモークの抑制を図ると言った目的に適用することができない。
【０００５】
すなわち、従来技術の過給装置では、補助過給器にも、インペラを回転させて過給圧を生むコンプレッサを使用しているため、インペラの慣性に起因したタイムラグが存在し、また、内燃機関の始動時に機能しないという改善点が存在する。本発明はこの点に着目したもので、タイムラグを解消し、始動時でも過給機能を遂行可能な内燃機関の過給装置を提供するものである。
【課題を解決するための手段】
【０００６】
本発明の第一の態様に係る内燃機関の過給装置は、吸気通路に接続した過給気通路と、リザーバタンクから供給される高圧空気を過給気として貯蔵し、該過給気を前記過給気通路へ送出する過給気タンクと、前記過給気通路に設けられ、機関運転状態に応じて開閉する過給弁と、前記過給気通路を接続した部位よりも上流の前記吸気通路に設けられて吸気の逆流を防止する逆流防止弁と、を含んで構成される。
【０００７】
本発明の第二の態様に係る内燃機関の過給装置は、吸気通路に接続した過給気通路と、所定の圧力の過給気を貯蔵し、該過給気を前記過給気通路へ送出する過給気タンクと、圧力センサにより計測される前記過給気タンク内の圧力に応じて駆動され、前記過給気タンクに圧縮空気を供給するエアコンプレッサと、前記過給気通路に設けられ、機関運転状態に応じて開閉する過給弁と、前記過給気通路を接続した部位よりも上流の前記吸気通路に設けられて吸気の逆流を防止する逆流防止弁と、を含んで構成される。
【０００８】
本発明の第三の態様に係る内燃機関の過給装置は、吸気通路に接続した過給気通路と、所定の圧力の過給気を貯蔵し、該過給気を前記過給気通路へ送出する過給気タンクと、前記過給気通路に設けられた過給弁と、前記過給気通路を接続した部位よりも上流の前記吸気通路に設けられて吸気の逆流を防止する逆流防止弁と、前記逆流防止弁よりも上流の前記吸気通路に介装されたコンプレッサを有する過給器と、前記過給器が十分な過給気をつくり出せる機関運転状態かどうかを判定し、不十分であれば前記過給気タンクの過給気を使用するように、前記過給弁及び前記逆流防止弁を制御するコントローラと、を含んで構成される。
【発明の効果】
【０００９】
本発明の過給装置によれば、予め過給圧とした過給気を過給気タンクに溜めておいて、該過給気タンクから、内燃機関の運転状態に応じてインテークマニホールド等の吸気通路へ過給気を提供する仕組みとしている。したがって、過給弁の開閉だけで過給を行え、インペラの慣性に起因したタイムラグは存在せず、従来に比べ格段にレスポンスに優れる。また、過給気タンクに過給気を貯蔵しているので、機関の運転に関係なく過給することができることになり、内燃機関始動時でも十分な過給気を送り込むことができる。
したがって本発明によれば、加速レスポンスが向上すると共に、安定した過給によるスワールの安定発生で燃焼効率も向上する。特にディーゼルエンジンにおいては、気筒への空気充填効率向上によって始動時のスモークを抑制するという効果を得ることもできる。
【００１０】
また、過給気タンクについて、より高圧の主タンクから調圧弁を通し減圧して副タンクへ過給気を供給する構成とすることもでき、この場合、副タンクの過給気が減ると（タンク内圧力が低下すると）、その分を主タンクから迅速に補って副タンク内の過給気量を安定に保つことができ、過給気の安定供給という点で優れる。
【００１１】
また、本発明の過給装置は、排気ターボや機械式等の過給器を併設することが可能で、この場合には、その併設してある過給器の過給タイムラグを解消することができ、過給運転を従来よりも安定させることができる。
【図面の簡単な説明】
【００１２】
【図１】本発明に係る過給装置の構成を示した内燃機関の概略図。
【図２】本発明に係る過給装置におけるコントローラの構成を示したブロック図。
【図３】本発明に係る過給装置の制御フローを説明するフローチャート。
【図４】図３中の主タンク内圧力制御を説明するサブルーチン。
【図５】図３中の副タンク内圧力制御を説明するサブルーチン。
【図６】図３中の過給弁及び逆流防止弁制御を説明するサブルーチン。
【発明を実施するための形態】
【００１３】
図１に、本発明に係る過給装置の構成例について、ディーゼルエンジンを例にして示してある。
当該エンジン１には、吸気通路１ａに介装されたコンプレッサ２ａ及び排気通路１ｂに介装されたタービン２ｂを含んで構成されるターボ過給器２が備えられている。また、吸気通路１ａのインテークマニホールドには過給気通路３が接続され、該過給気通路３に、ソレノイドバルブの過給弁４を介して過給気タンク５が接続されている。該過給気タンク５は、所定の圧力、すなわちエンジン１に設定された過給圧の過給気を貯蔵する手段で、その貯蔵している過給気を過給気通路３へ送出する。
【００１４】
過給気タンク５は、エアコンプレッサ６により圧縮された所定圧力の空気を溜める主タンク７と、該主タンク７内の空気を減圧する電動バルブの調圧弁８と、該調圧弁８により過給圧まで減圧された過給気を貯蔵し、該貯蔵した過給気を過給気通路３へ送出する副タンク９と、を含んで構成されている。主タンク７は、たとえば一般的な過給圧である約３×１０５Ｐａ（３ｋｇｆ／ｃｍ２）よりも高圧の約１０×１０５〜約２０×１０５Ｐａ（１０〜２０ｋｇｆ／ｃｍ２）とした所定圧力の空気を貯蔵する。そして、この主タンク７に蓄えられた高圧空気は、調圧弁８により過給圧（約３×１０５Ｐａ）へ減圧されて副タンク９に溜められる。したがって、副タンク９には、所定の過給圧の過給気が貯蔵され、ここから過給弁４を介して当該過給圧の過給気が過給気通路３へ送り出される。
【００１５】
省略が可能であれば、調圧弁８及び副タンク９を省いて、過給圧の過給気を貯蔵する主タンク７だけの構成とすることも可能である。ただし、過給気の安定供給という点からすると、より大容量の主タンク７に高圧の空気をストックしておいて、副タンク９の過給気が減ると（圧力が下がると）迅速にその分を補う構成とした方が好ましい。また、エアコンプレッサ６に関しては、クランク軸出力を利用して駆動するものや、電動のものを使用することができるが、トラクタ等の大型車両であれば、リザーバタンクから高圧空気を供給できるので、この場合は省略することも可能である。
【００１６】
本実施形態の過給装置は、過給気通路３を接続した部位よりも上流の吸気通路１ａに介装されたコンプレッサ２ａを有するターボ過給器２を含んでいるので、当該ターボ過給器２によっても過給が行われる。しかし、前述のようにターボ過給器２にはタイムラグが存在するので、過給気タンク５から供給される過給気の圧力の方が優って吸気通路１ａを吸気が逆流する可能性がある。これを防止するために、ターボ過給器２のコンプレッサ２ａと過給気通路３との間の吸気通路１ａに、ソレノイドバルブの逆流防止弁１０をさらに設けている。
【００１７】
主タンク７、副タンク９、そして過給気通路３を接続した吸気通路１ａ内には、それぞれ圧力センサ７ｐ，９ｐ，１ｐが設けられている。過給装置のコントローラ２０は、圧力センサ７ｐにより計測される主タンク内圧力に応じてエアコンプレッサ６の動作を制御し、また、圧力センサ９ｐにより計測される副タンク内圧力に応じて調圧弁８の開度を制御する。さらに、コントローラ２０は、エンジンＥＣＵ３０との通信で得られる情報、具体的には目標過給圧、回転速度、燃料噴射量と、圧力センサ１ｐによる吸気通路１ａ中の吸気圧とを含んだ機関運転状態に応じて、過給弁４及び逆流防止弁１０の開閉を制御する。
【００１８】
このようなコントローラ２０の構成について、図２にブロック図で示してある。
図示の例のコントローラ２０は、まず、エンジンＥＣＵ３０からインタフェース部２１を介して目標過給圧、回転速度、燃料噴射量の情報を受信し、また、圧力センサ１ｐ，７ｐ，９ｐからインタフェース部２２を介してセンサ信号を受信する。
そして、インタフェース部２１，２２から得られる目標過給圧、回転速度、燃料噴射量及び圧力センサ１ｐによる吸気圧の情報に基づいて、過給弁及び逆流防止弁制御部２３がソレノイドバルブ駆動部２４を制御し、過給弁４及び逆流防止弁１０の開閉を実行する。また、インタフェース部２２から得られる圧力センサ９ｐによる副タンク内圧力の情報に基づいて、副タンク制御部２５が電動バルブ駆動部２６を制御し、調圧弁８の開度調整を実行する。さらに、インタフェース部２２から得られる圧力センサ７ｐによる主タンク内圧力の情報に基づいて、主タンク制御部２７がエアコンプレッサ駆動部２８を制御し、エアコンプレッサ６を動作させる。
【００１９】
このコントローラ２０により実行される制御フローについて、図３にメインルーチンを示している。
【００２０】
まず、イグニッションキーのオン等で電源が投入されると、初期化を行った後、インタフェース部２２を介して圧力センサ１ｐ，７ｐ，９ｐのセンサ信号を入力し（Ｓ１）、インタフェース部２２を介してエンジンＥＣＵ３０から情報を入力する（Ｓ２）。そして、主タンク制御部２７が、圧力センサ７ｐで計測される主タンク内圧力に応じ、エアコンプレッサ駆動部２８によりエアコンプレッサ６を動作させる（Ｓ３）。この主タンク内圧力制御のサブルーチンを図４に示している。
【００２１】
主タンク制御部２７においては、主タンク内圧力の設定値が所定の幅をもって決められており、計測された主タンク内圧力がその設定範囲に入るようにして、エアコンプレッサ６をヒステリシスをもたせてオンオフ制御する。すなわち、入力された主タンク内圧力をまず設定範囲の上限値と比較し（Ｓ１０）、上限値以上であればエアコンプレッサ６を停止としてリターンし（Ｓ１１）、上限値を下回っていれば下限値と比較する（Ｓ１２）。主タンク内圧力を設定範囲の下限値と比較した結果、下限値を上回っていればそのままリターンし、下限値以下であればエアコンプレッサ６を動作させ（Ｓ１３）、リターンする。
【００２２】
この主タンク内圧力制御に続けて、副タンク制御部２５による副タンク内圧力制御が実行される（Ｓ４）。すなわち、副タンク制御部２５は、圧力センサ９ｐによる副タンク内圧力に応じ、電動バルブ駆動部２６により調圧弁８の開度を調整する。この副タンク内圧力制御のサブルーチンを図５に示している。
【００２３】
副タンク制御部２５においては、副タンク９内に貯蔵する過給気の圧力について予め設定値が決められており、計測された副タンク内圧力がその設定値となるように、調圧弁８の開度を調節する。すなわち、設定値と入力された副タンク内圧力とを減算して差圧を求め（Ｓ２０）、当該差圧に基づいて調圧弁開度マップから開度目標値を取得する（Ｓ２１）。そして、得られた開度目標値と合致するように調圧弁８の開度をＰＩＤ制御により調整し（Ｓ２２）、リターンする。
【００２４】
この副タンク内圧力制御に続けて、過給弁及び逆流防止弁制御部２３による過給弁４と逆流防止弁１０との開閉制御が実行される（Ｓ５）。すなわち、過給弁及び逆流防止弁制御部２３は、現在の機関運転状態を示す目標過給圧、回転速度、燃料噴射量及び圧力センサ１ｐによる吸気圧に応じ、ソレノイドバルブ駆動部２４により過給弁４及び逆流防止弁１０を開閉させる。特に本実施形態の制御では、ターボ過給器２が十分な過給気をつくり出せる機関運転状態かどうかを判定し、不十分であれば副タンク９の過給気を使用するように、過給弁４及び逆流防止弁１０を制御する。その制御のサブルーチンを図６に示している。
【００２５】
まず最初に過給弁及び逆流防止弁制御部２３は、入力された回転速度及び燃料噴射量に基づいて運転状況マップからターボ過給器２の状態を求め（Ｓ３０）、ターボ過給器２が十分な過給を行えない領域Ａにあるかどうか判定する（Ｓ３１）。領域Ａになければ、逆流防止弁１０を開とし（Ｓ３２）、リターンする。一方、領域Ａにあれば、逆流防止弁１０を閉とし（Ｓ３３）、圧力センサ１ｐによる吸気圧と目標過給圧＋α（制御目標上限値）とを比較する（Ｓ３４）。その結果、目標過給圧＋α以上であれば過給弁４を閉としてリターンし（Ｓ３５）、目標過給圧＋αを下回っていれば、今度は目標過給圧−α（制御目標下限値）との比較を行う（Ｓ３６）。そして、目標過給圧−αを上回っていればそのままリターンし、目標過給圧−α以下であれば、過給弁４を開とし（Ｓ３７）、リターンする。なお、比較時に用いる＋αと−αは、過給弁及び逆流防止弁制御部２３に予め設定されている制御幅である。
【００２６】
過給弁及び逆流防止弁を制御した後のコントローラ２０は、イグニッションキーのオフを検出し（Ｓ６）、キーオフにならなければステップＳ１から繰り返す。一方、キーオフが検出された場合は、主タンク制御部２７がエアコンプレッサ６を停止させ、副タンク制御部２５が調圧弁８を全閉とし、過給弁及び逆流防止弁制御部２３が過給弁４を閉、逆流防止弁１０を開として（Ｓ７）、終了する。
【００２７】
以上説明した制御では、並列に設けられたターボ過給器２を優先にした制御としてあるが、過給気タンク５だけで過給気のすべてをまかなえるのであれば、ターボ過給器を省略することも可能で、ターボラグの無いレスポンスに優れた過給装置が提供される。
すなわち、予め過給圧とした過給気を過給気タンク５に溜めておいて、該過給気タンク５から、機関運転状態に応じて吸気通路１ａへ過給気を提供する仕組みなので、過給弁４の開閉だけで過給を行え、インペラの慣性に起因したタイムラグは存在せず、従来に比べ格段にレスポンスに優れる。また、過給気タンク５に過給気を貯蔵しているので、エンジン１の始動時でも十分な過給気を送り込むことができる。したがって、加速レスポンスが向上すると共に、安定した過給によるスワールの安定発生で燃焼効率も向上し、特にディーゼルエンジンの場合には、気筒への空気充填効率向上によって始動時のスモークを抑制することができる。
【００２８】
また、上記の実施形態においては、過給弁、調圧弁、逆流防止弁をコントローラにより制御する方式を開示しているが、各弁を機械式（自動式）のものとして、コントローラによる制御を省いた構成とすることも可能である。すなわち、過給弁及び逆流防止弁として逆止弁（チェックバルブ）を用いると共に調圧弁として減圧弁（定圧弁）を使用し、別途制御を不要とした構成である。この場合、吸気通路の圧力が低い機関運転状態にあって、副タンク内圧力に対し吸気通路内圧力が低いと、自動的に過給弁が開いて過給気が供給され、且つ逆流防止弁が閉じて吸気の逆流が防止される。反対に、ターボ過給器等が十分に機能する機関運転状態にあって、吸気通路内圧力が十分に高ければ、過給弁は閉、逆流防止弁は開を維持する。また、過給気が使用されて副タンク内の圧力が下がれば、減圧弁とした調圧弁を通して自動的に主タンクから副タンクへ過給気が供給される。つまり、コントローラによらずとも、機関運転状態応じて各弁が開閉し、過給が実行される。
【符号の説明】
【００２９】
１  エンジン
１ａ  吸気通路
１ｂ  排気通路
２  ターボ過給器
３  過給気通路
４  過給弁
５  過給気タンク
６  エアコンプレッサ
７  主タンク
８  調圧弁
９  副タンク
１０  逆流防止弁
【図１】
2011208644.tif 000003
【図２】
2011208644.tif 000004
【図３】
2011208644.tif 000005
【図４】
2011208644.tif 000006
【図５】
2011208644.tif 000007
【図６】
2011208644.tif 000008